(57)【要約】  【課題】机の天板に上棚が備えられた上棚付き机において、上棚の平面部を横長に使用することができ、かつ、平面部に重い物を載せた場合でも、強度を確保することができる上棚付き机を提供する。  【解決手段】上棚２は、取り外し可能な平面板７ａと、前記平面板７ａの他に少なくとも１つの、取り外し可能な平面板７ｂとを備え、上棚２の立壁５には、前記平面板７ａを取り付けるための、ねじ通し孔が貫通形成され、前記平面板７ａの背面に雌ねじが形成されている。また、前記平面板７ａの側面にねじ通し孔１３が貫通形成され、上棚２の側壁４には、雌ねじ１２が形成されている。前記平面板７ａを上棚の左右いずれかの位置にねじ止め固定ができ、前記平面板７ａを上棚に取り付けた後の余った空間に、前記平面板７ｂが収納可能である。前記平面板７ａと平面板７ｂとは、収納された状態で同一平面Ａを作る。【選択図】        図２
2005065964.tif 000002
【特許請求の範囲】
【請求項１】
机の天板に上棚が備えられた上棚付き机において、
前記上棚は、平面部を有する取り外し可能な第１の部材と、前記第１の部材の他に少なくとも１つの、平面部を有する取り外し可能な第２の部材とを備え、
上棚の立壁に、前記第１の部材を取り付けるための、複数個の第１の締結部が形成され、
上棚の側壁に、前記第１の部材を取り付けるための、第２の締結部が形成され、
前記第１の部材の背面の、前記第１の締結部に対応した位置に、第３の締結部が形成され、
前記第１の部材の側面の、前記第２の締結部に対応した位置に、第４の締結部が形成され、
前記第１の部材を、上棚の左寄り、右寄りいずれか任意の位置に固定することができ、前記第１の部材を上棚の立壁に取り付けた場合の余った空間に、前記第２の部材が収納可能であり、
前記第１の部材と第２の部材とは、収納された状態で同一平面を作ることを特徴とする上棚付き机。
【請求項２】
前記第２の部材は、第１の部材を上棚の立壁に左寄りに取り付けた場合に右側の空間に収納可能で、前記平面部を上棚の立壁に右寄りに取り付けた場合に左側の空間に収納可能である請求項１記載の上棚付き机。
【請求項３】
前記第２の部材は、上棚の側壁と、第１の部材の側面との間の空間にスライド収納可能である請求項２記載の上棚付き机。
【発明の詳細な説明】
【技術分野】
【０００１】
本発明は、机の天板に上棚が備えられた上棚付き机の構造に関するものである。
【背景技術】
【０００２】
従来から、机の天板の上面端部付近に上棚が備えられた上棚付き机が使用されている。この上棚の平面部には、平面部を区画する仕切り板が設けられており、この仕切り板で仕切られる平面部の区画に物を置いたり、この仕切り板をブックエンドにして本を収納したりしている。したがって、上棚付き机では、上棚に収納された本などを参照しながら、机で学習や事務処理ができる。
【０００３】
また、前記仕切り板の背面上部は、上棚の左右に渡された桟に固定されてあり、これによって上棚の平面部に重い本などを収納しても上棚の平面部が本などの重みでたわみにくいようにしている。
【特許文献１】特開平７-275048公報
【発明の開示】
【発明が解決しようとする課題】
【０００４】
このような従来の上棚付き机は、仕切り板が固定されていて、仕切り板を自由に取り外せないので、横長の物を置くなど、上棚の平面部を横に長く使用することができない。そこで仕切り板を取り外すことが考えられるが、そうすると上棚の平面部に重い物を乗せた場合の強度の確保が問題になる。
【０００５】
そこで、本発明は、机の天板に上棚が備えられた上棚付き机において、上棚の平面部を横長に使用することができ、かつ、平面部に重い物を載せた場合でも、強度を確保することができる上棚付き机を提供することを目的とする。
【０００６】
また本発明は、机の天板に上棚が備えられた上棚付き机において、上棚の平面部を上棚の一部のみに配置し、平面部を配置していない空間を広く使用することができ、かつ、平面部に重い物を載せた場合でも、強度を確保することができる上棚付き机を提供することを目的とする。
【課題を解決するための手段】
【０００７】
本発明の上棚付き机の上棚は、平面部を有する取り外し可能な第１の部材と、前記第１の部材の他に少なくとも１つの、平面部を有する取り外し可能な第２の部材とを備え、上棚の立壁に、前記第１の部材を取り付けるための、複数個の第１の締結部が形成され、上棚の側壁に、前記第１の部材を取り付けるための、第２の締結部が形成され、前記第１の部材の背面の、前記第１の締結部に対応した位置に、第３の締結部が形成され、前記第１の部材の側面の、前記第２の締結部に対応した位置に、第４の締結部が形成され、前記第１の部材を、上棚の左寄り、右寄りいずれか任意の位置に固定することができ、前記第１の部材を上棚の立壁に取り付けた場合の余った空間に、前記第２の部材が収納可能であり、前記第１の部材と第２の部材とは、収納された状態で同一平面を作ることを特徴とする。
【０００８】
この構成によれば、第１の部材を上棚の立壁及び側壁に締結固定することにより、平面部に重い物を載せても強度の確保ができる。
【０００９】
余った空間に、前記第２の部材を収納しない場合は、この余った空間を生かして机の天板を広く使うことができる。
【００１０】
そして余った空間に、前記第２の部材を収納すれば、前記第１の部材と第２の部材とで同一平面を作ることができるので、横長の物を置くことができる。
【００１１】
前記第２の部材は、第１の部材を上棚の立壁に左寄りに取り付けた場合に右側の空間に収納可能で、前記平面部を上棚の立壁に右寄りに取り付けた場合に左側の空間に収納可能となる。
【００１２】
前記第２の部材の収納方式は任意であるが、上棚の側壁と、第１の部材の側面との間の空間に、例えばスライド収納可能としてもよい。
【発明の効果】
【００１３】
以上のように本発明によれば、上棚の平面部に重い物を載せた場合でも、強度を確保することができるとともに、上棚の平面部を横長に使用することもできる。また、平面部を配置したのと反対側の空間を広く使用することができる。
【発明を実施するための最良の形態】
【００１４】
以下、本発明の実施の形態を、添付図面を参照しながら詳細に説明する。
【００１５】
図１は、本発明の実施の形態に係る上棚付き学習机の正面図（ａ）及び側面図（ｂ）である。学習机本体を１、上棚を２で示している。学習机本体１、上棚２の材料は、限定されないが、典型的には木製である。
【００１６】
上棚２は、学習机本体１の天板３の上面後方に取り付けられている。上棚２と学習机本体１とは、慣用されているように、学習机本体１の背後からコの字形の金具を使って、ボルトによって締結固定される。
【００１７】
上棚２は、２つの側壁４と、背後の立壁５と、２つの側壁４に渡された桟６とを有している。
【００１８】
立壁５には、平面部Ａを形成する第１の部材としての平面板７ａが後述するようにネジにより締結固定される。平面板７ａには、２つの引き出し９が、スライド装着可能となっている。
【００１９】
また、前記平面板７ａを立壁５に取り付けた余った空間は、そのまま利用できる他、後述するように第２の部材としての平面板７ｂが収納可能となる。
【００２０】
図２及び図３は、前記上棚２の分解斜視図を示す。上棚２は、２つの側壁４と、２つの側壁４の背後下部に渡された立壁５と、背後上部に渡された桟６とを有する。立壁５の上辺部には、平面板７ａとともに平面Ａを形成するための直線状、かつ断面Ｌ字状の補強枠１４が取り付けられている。
【００２１】
立壁５には、前記平面板７ａを固定するための、３個のねじ通し貫通孔５ａ，５ｂ，５ｃが等間隔に形成されている。貫通孔５ａ，５ｂ，５ｃは、後述するボルト１１とともに第１の締結部として機能する。
【００２２】
平面板７ａには、引き出し９を収納するためのレールが取り付けられた側板８が左右及び中央に合計３つ取り付けられている。側板８どうしの間に引き出し９がスライド自在に収納される。
【００２３】
隣り合う側板８どうしの間隔は、前記貫通孔５ａ，５ｂの間隔、及び貫通孔５ｂ，５ｃの間隔と同じとなっている。各側板８の背面には、第３の締結部としての雌ねじ（図示せず）が形成されており、平面板７ａは、前記貫通孔５ｂ及び５ｃを通して背後からボルト１１によって強くネジ止め固定される。
【００２４】
さらに、上棚２の２つの側壁４の内側にも、第２の締結部である雌ねじ１２がそれぞれ２つずつ設けられてある。そして平面板７ａの両外側の側板８には、対応するネジ通し貫通孔１３が設けられている。ネジ通し貫通孔１３はボルト１５とともに第４の締結部として機能する。図２のように平面板７ａを立壁５の右寄りに取り付ける場合は、平面板７ａの右側板８の貫通孔１３にボルト１５を内側から挿入して、右側壁４の雌ねじ１２に強く固定する。
【００２５】
このように、平面板７ａを背面及び側面からネジ止め固定することにより、側板８と立壁５、及び側板８と側壁４がそれぞれぴったり当接して平面板７ａの上にかかる重量を受け止めることができる。
【００２６】
平面板７ａを取り付けた後に余った左半分の空間は、学習机の天板３が利用できるので、コンピュータなどを置くことができる。
【００２７】
さらに、平面板７ａの両側の側板８の外面及び両側壁４の内面には、オプションレール１０が水平に装着可能になっている。このレール１０を、前記余った左半分の空間を挟む、側板８の外面と側壁４の内面とにそれぞれ取り付けることによって、ここに第２の部材としての平面板７ｂをスライド装着することができる。
【００２８】
図３は、平面板７ａを上棚２の左半分に取り付ける場合の分解斜視図である。この場合、平面板７ａは、貫通孔５ａ及び５ｂを通して背後からボルト１１によって強くネジ止め固定される。さらに、平面板７ａの左側板８の貫通孔１３にボルト１５を内側から挿入して、上棚２の左側壁４の雌ねじ１２に強く固定する。ネジ止め固定されると、側板８と立壁５、及び側板８と側壁４とがそれぞれぴったり当接して平面板７ａの上にかかる重量を受け止めることができる。
【００２９】
平面板７ａを取り付けた後に余った右半分の空間は、学習机の天板３が利用できるので、コンピュータなどを置くことができる。
【００３０】
平面板７ａを取り付けた後にできる余った空間は、そのままで活用する以外に、前述した平面板７ｂを配置することもできる。平面板７ｂを配置する場合、平面板７ｂは、図２、図３に示したレール１０を介してスライドにより当該空間に装着される。前記平面板７ａと平面板７ｂとは、収納された状態で同一平面Ａを作るので、ここに、横長の物を平面Ａに配置することができる。
【００３１】
なお、前記平面板７ａは引き出しがついていたが、平面板７ｂは、引き出し付きの物に限らない。平面Ａを作ることさえできれば、一枚の棚などどのような形状であってもよい。
【００３２】
以上のように、本実施の形態によれば、平面板７ａを上棚２の任意の位置にネジ止め固定することができる。そして、平面板７ａの存在しない空間は任意に利用できる他、もう一つの平面板７ｂを配置すれば、平面板７ａ及び平面板７ｂにより、机の上に同一平面の横長のスペースを作ることができる。
【００３３】
以上で、本発明の実施の形態を説明したが、本発明の実施は、前記の形態に限定されるものではない。例えば、平面板７ｂを、図２、図３に示したレール１０を介してスライドさせる構成に代えて、平面板７ａの外側板８の外面及び側壁４の内面にダボを固定して、平面板７ｂを、上からはめ込むようにしてもよい。その他、本発明の範囲内で種々の変更を施すことが可能である。
【図面の簡単な説明】
【００３４】
【図１】（ａ）は本発明の上棚付き学習机の正面図を示し、（ｂ）は同側面図を示す。
【図２】平面板７ａを上棚２の右側に配置した上棚２の分解斜視図を示す。
【図３】平面板７ａを上棚２の左側に配置した上棚２の分解斜視図を示す。
【符号の説明】
【００３５】
１  学習机本体
２  上棚
３  天板
４  側壁
５  立壁
５ａ，５ｂ，５ｃ  貫通孔
６  桟
７ａ，７ｂ  平面板
８  側板
９  引き出し
１０  レール
１１  ボルト
１２  雌ねじ
１３  貫通孔
１４  補強枠
１５  ボルト
【図１】
2005065964.tif 000003
【図２】
2005065964.tif 000004
【図３】
2005065964.tif 000005